(57)【特許請求の範囲】
【請求項１】
段差部又は空中部に部分的に空中配置される配線・配管材を下方から支持するための支持具であって、
人が乗っても変形しない程度の曲げ剛性を有する細長い金属板で全体が構成されて、
設置面に対する固定部を備えた剛性板部と、前記剛性板部どうしを連結する連結板部とが、長手方向に沿って交互に形成され、
前記連結板部は、相前後する剛性板部を相対的に適宜角度に屈曲可能とすべく、当該剛性板部よりも小さな曲げ剛性となっていて、
前記連結板部の支持具全体の長手方向に沿った長さは、前記屈曲が可能であること、及び支持具全体としての曲げ剛性が、人が乗っても変形しない程度に保持されることの二つの条件を同時に満足し得る必要最小長さに定められ、
前記連結板部で支持具が屈曲されて、当該支持具に空中配置される部分が形成され、前記配線・配管材における空中配置される部分は、当該支持具の空中配置部により下方から支持されることを特徴とする配線・配管材の支持具。
【請求項２】
前記連結板部には、幅方向の両端部に前記剛性板部よりも幅が狭くなるような凹部が切り込み状に形成されて、前記剛性板部よりも曲げ剛性が小さくなっていることを特徴とする請求項１に記載の配線・配管材の支持具。
【請求項３】
前記連結板部には、凹条が幅方向に形成されて、前記剛性板部よりも曲げ剛性が小さくなっていることを特徴とする請求項１又は２に記載の配線・配管材の支持具。
【請求項４】
前記凹部は、自身で支持している配線・配管材を線材で固定可能な線材掛止部として機能することを特徴とする請求項２に記載の配線・配管材の支持具。
【請求項５】
前記固定部は、各剛性板部に貫通して形成された固定孔であることを特徴とする請求項１ないし４のいずれかに記載の配線・配管材の支持具。
【発明の詳細な説明】
【技術分野】
【０００１】
本発明は、段差部又は空中部に部分的に空中配置される配線・配管材を下方から支持するための支持具に関するものである。
【背景技術】
【０００２】
上記した配線・配管材の支持具（固定具）としては、特許文献１に記載のものが知られている。特許文献１に記載の固定具は、鋼板を板金加工して製作され、屈曲可能な連結片の両端に、管の外側を抱えるようにして保持する管抱持部が一体に連結され、更に各管抱持部の外側に、固定具自体を取付面に固定するための固定部がそれぞれ連続して形成されたものである。前記固定具を使用して、段差部において管類を配管するには、特許文献１の図３に示されるように、段差部に臨む高い側の面と、段差部から所定距離だけ離れた低い側の面との間に連結片を傾斜配置させて、各固定部をそれぞれ取付面に固定し、傾斜配置された連結片に沿って管類を段差部に配置して、前記連結片の部分で支持している。
【０００３】
特許文献１に開示の固定具は、連結片の長さが一定であるため、段差部の高さに応じて連結片の傾斜角度が変化し、目的の傾斜角で管類を段差部に配管できない。また、固定具の屈曲部は、連結片の両端の連結片と管抱持部との接続部に集中して、連結片の両端の部分のみが大きく屈曲するため、管類が鞘管である場合には、給水管等を鞘管の内部に挿通する際に、鞘管における連結片の両端で支持される部分は、連結片が急激に屈曲しているのに対応して鞘管が屈曲するために、給水管等の挿通をスムーズに行えない。
【０００４】
また、固定具の長さが定まっているために、段差部の高さに応じて固定具の傾斜配置された部分の長さが変化するために、段差部から起算して固定具が段下に当接する距離は、段差部の高さ（換言すると、段差部における固定具の傾斜角度）に応じて変化するため、段下の目的位置に固定具を当接させて配管できない。
【０００５】
なお、上記不具合の解消のために、固定具の連結片を途中で屈曲させて全体を所望の形状にすることも考えられるが、段差部のように、段差を介して接続する二つの高さの異なる面がいずれもほぼ水平（正確には、前記各面が互いに略平行）の場合には、連結片はわん曲されることなく直状のままで使用しないと、屈曲された連結片に人が乗る等して大きな荷重が作用すると、連結片は屈曲部で大きく変形されて、初期の屈曲形状を維持できない。
【特許文献１】特開平１１−３４４１５６号公報
【発明の開示】
【発明が解決しようとする課題】
【０００６】
本発明は、主として段差部において配線・配管材を下方から支持して配線・配管する際に、目的の傾斜角度でもって、しかも大きく屈曲（座屈）することなく連続してわん曲した状態で配線・配管材を配線等できて、かつ曲げ強度の大きな配線・配管材の支持具の提供を課題としている。
【課題を解決するための手段】
【０００７】
上記の課題を解決するための請求項１の発明は、段差部又は空中部に部分的に空中配置される配線・配管材を下方から支持するための支持具であって、人が乗っても変形しない程度の曲げ剛性を有する細長い金属板で全体が構成されて、設置面に対する固定部を備えた剛性板部と、前記剛性板部どうしを連結する連結板部とが、長手方向に沿って交互に形成され、前記連結板部は、相前後する剛性板部を相対的に適宜角度に屈曲可能とすべく、当該剛性板部よりも小さな曲げ剛性となっていて、前記連結板部の支持具全体の長手方向に沿った長さは、前記屈曲が可能であること、及び支持具全体としての曲げ剛性が、人が乗っても変形しない程度に保持されることの二つの条件を同時に満足し得る必要最小長さに定められ、前記連結板部で支持具が屈曲されて、当該支持具に空中配置される部分が形成され、前記配線・配管材における空中配置される部分は、当該支持具の空中配置部により下方から支持されることを特徴としている。
【０００８】
請求項１の発明によれば、剛性板部どうしを連結する連結板部は、相前後する剛性板部を相対的に適宜角度に屈曲可能とすべく、当該剛性板部よりも小さな曲げ剛性となっていて、前記連結板部の支持具全体の長手方向に沿った長さは、前記屈曲が可能であること、及び支持具全体としての曲げ剛性が、人が乗っても変形しない程度に保持されることの二つの条件を同時に満足し得る必要最小長さに定められているので、支持具全体として人が乗っても変形しない程度の剛性を確保したうえで、任意の相前後する二枚の剛性板部を連結板部の部分で支持具を自在に部分屈曲させられる。従って、例えば段差部において配線・配管する場合には、段差部を構成する二つの設置面に対して設置直前の相前後する所定数の剛性板部を互いに逆方向に小さな角度で部分屈曲させて、各屈曲を合成させることにより、段差部を構成する二つの設置面に対して支持具の両端部を接線状態にして固定できる。このため、段差部に支持される配線・配管材は、途中で大きな屈曲部を有しないほぼ連続曲線状態で支持できて、後に行う線・管類の挿通作業をスムーズに行える。
【０００９】
また、段差部の高さの変化に対しては、傾斜状態で空中配置される剛性板部の数を調整することにより、目的の傾斜角度で配線・配管材を支持できる。更に、段差部に支持具を設置する際に、段差部の出隅部に連結板部が配置されるのを避けて、剛性板部を、その一部が空中配置された状態で固定すると、人が乗った場合でも、支持具が一層変形しにくくなる。
【００１０】
また、請求項２の発明は、請求項１の発明において、前記連結板部には、幅方向の両端部に前記剛性板部よりも幅が狭くなるような凹部が切り込み状に形成されて、前記剛性板部よりも曲げ剛性が小さくなっていることを特徴としている。このため、請求項２の発明によれば、連結板部の幅方向に少なくとも一方に形成された凹部の存在により、当該連結板部の曲げ剛性を剛性板部よりも小さくできて、相前後する剛性板部を当該連結板部の部分で確実に屈曲させられる。また、連結板部に幅方向に沿って切込み状に形成された凹部は、自身で支持している配線・配管材を線材で固定可能な線材掛止部として機能するので、配線・配管材と支持具とを一体にして巻回した線材を、支持具の前記凹部に掛止して固定することにより、支持具に対して配線・配管材をしっかりと固定できる。よって、別途線材掛止部を形成する必要がない。
【００１１】
また、請求項３の発明は、請求項１又は２の発明において、前記連結板部には、凹条が幅方向に形成されて、前記剛性板部よりも曲げ剛性が小さくなっていることを特徴としている。請求項３の発明によれば、連結板部の凹条が設けられた部分の曲げ剛性は、他の部分に比較して小さいので、相前後する剛性板部を当該連結板部の部分で確実に屈曲させられる。
【００１２】
また、請求項４の発明は、請求項２の発明において、前記凹部は、自身で支持している配線・配管材を線材で固定可能な線材掛止部として機能しているので、配線・配管材と支持具とを一体にして巻回した線材を、支持具の凹部に掛止して固定することにより、支持具に対して配線・配管材をしっかりと固定できる。
【００１３】
また、請求項５の発明は、請求項１ないし４のいずれかの発明において、前記固定部は、各剛性板部に貫通して形成された固定孔であることを特徴としているので、前記固定孔に釘類を挿通して設置面に打ち込むことにより、設置面に対して支持具を簡単に固定できる。
【発明の効果】
【００１４】
本発明に係る配線・配管材の支持具は、剛性板部どうしを連結する連結板部は、相前後する剛性板部を相対的に適宜角度に屈曲可能とすべく、当該剛性板部よりも小さな曲げ剛性となっていて、前記連結板部の支持具全体の長手方向に沿った長さは、前記屈曲が可能であること、及び支持具全体としての曲げ剛性が、人が乗っても変形しない程度に保持されることの二つの条件を同時に満足し得る必要最小長さに定められていて、段差部を構成する二つの設置面に対して支持具の両端部を接線状態で固定できるので、段差部において配線・配管材を大きく屈曲することなくスムーズに支持できて、後に行う線・管類の挿通作業をスムーズに行えると共に、段差部の高さに対応して傾斜状態で空中配置される剛性板部の数を調整することにより、段差部において、その高さとは無関係に配線・配管材を望みの傾斜角度で支持できる。また、作業中において、傾斜姿勢で空中配置されている部分が作業者により踏み付けられる等しても、支持具全体が人の加重では変形しない曲げ剛性を有しているために、当該支持具の空中配置部分が曲げられることはない。
【発明を実施するための最良の形態】
【００１５】
以下、最良の実施形態を挙げて、本発明を更に詳細に説明する。図１は、本発明に係る配線・配管材の支持具Ｓを段差部Ａ1 に設置した状態の斜視図であり、図２は、段差部Ａ1 に設置した支持具Ｓにより鞘管Ｐを傾斜して支持した状態の斜視図であり、図３は、同じく側面図であり、図４は、支持具Ｓの部分平面図であり、図５は、同じく部分側面図である。
【００１６】
段差部Ａ1 で鞘管Ｐを支持する支持具Ｓは、図１，図４及び図５に示されるように、細長い鋼板で形成されて、全体が人が乗っても変形しない程度の曲げ剛性を有している。当該支持具Ｓは、方形状をした剛性板部１と、該剛性板部１どうしを連結する連結板部２とが長手方向に沿って交互に形成されたものである。連結板部２は、剛性板部１と同一厚を保持したままで、幅方向の両端部に凹部３を切り込むことにより形成されている。前記凹部３は、剛性板部１に対して連結板部２の剛性を低くして部分屈曲し易くすることを主目的として、支持している鞘管Ｐを支持具Ｓに固定するための線材Ｂを掛止させる「線材掛止部」としても機能している。即ち、図４及び図５に示されるように、連結板部２の幅（Ｗ2 ）は、剛性板部１の幅（Ｗ1 ）よりも狭くなっていると共に、連結板部２の長手方向に沿った寸法（Ｌ2 ）は、剛性板部１の長手方向に沿った寸法（Ｌ1 ）よりも遥かに小さくなっている。また、連結板部２の表裏両面には、幅方向に沿って凹条４がそれぞれ形成されて、前記凹部３と協働して剛性板部１に対する連結板部２の剛性を低くして、その部分屈曲を容易にしている。
【００１７】
また、各剛性板部１には、長手方向に沿って所定間隔をおいて一対の第１釘挿通孔５が形成され、長手方向に沿って一対の第１釘挿通孔５の中間には、前記第１釘挿通孔５よりも小さな３個の第２釘挿通孔６が幅方向に沿って所定間隔をおいて形成されている。第１及び第２の各釘挿通孔５，６は、いずれも段差部Ａ1 を形成する第１及び第２の各設置面Ｆ1 ，Ｆ2 に支持具Ｓを固定するための釘Ｎを挿通するためのものであるが、第２釘挿通孔６には、支持する鞘管Ｐを支持具Ｓに固定するためのサドル類を取付けるのに使用することもできる。実施例の支持具Ｓは、長さが６００ｍｍ程度、幅が５０ｍｍ程度、板厚が２〜２．５ｍｍの鋼板で構成される。
【００１８】
そして、本発明に係る支持具Ｓを用いて、第１及び第２の各設置面Ｆ1 ，Ｆ2 の間に形成された段差部Ａ1 に鞘管Ｐを支持状態で配置するには、以下のようにして行う。まず、図１及び図３に示されるように、支持具Ｓにおける第１及び第２の各設置面Ｆ1 ，Ｆ2 にそれぞれ設置される部分の相前後する剛性板部１を互いに逆の方向に向けて僅かに屈曲させて、支持具Ｓが第１及び第２の各設置面Ｆ1 ，Ｆ2 に接線状態にして配置する。即ち、高い側の第１設置面Ｆ1 と空中部との接続部に配置される部分においては、相前後する数枚の各剛性板部１を僅かに下側に向けて部分屈曲させると共に、低い側の第２設置面Ｆ2 と空中部との接続部に配置される部分においては、相前後する数枚の各剛性板部１を上記と逆となるように、僅かに上方に向けて部分屈曲させ、空中配置された支持具Ｓの残りの連続する剛性板部１は、屈曲させることなく連続板状のままにしておくと、支持具Ｓは、これを構成する各剛性板部１が小さな角度で上記方向に部分屈曲されて、各剛性板部１の屈曲の合成により、段差部Ａ1 においてほぼ連続曲線状となって配置される。
【００１９】
また、段差部Ａ1 に支持具Ｓを設置する際に、段差部Ａ1 の出隅部７に連結板部２が配置されるのを避けて、特定の剛性板部１の一部が部分的に空中配置されて、残りの部分が第１設置面Ｆ1 に設置されるような片持ち状にして配置することにより、前記出隅部７の部分において支持具Ｓが作業者等により踏み付けられる等して、前記出隅部７において支持具Ｓに大きな荷重が加わっても支持具Ｓが屈曲されなくなる。上記のようにして、段差部Ａ1 にほぼ連続した曲線状となって配置された支持具Ｓの特定の剛性板部１を第１及び第２の各設置面Ｆ1 ，Ｆ2 に釘Ｎを使用して固定する。即ち、特定の剛性板部１の第１釘挿通孔５に挿通された釘Ｎを第１及び第２の各設置面Ｆ1 ，Ｆ2 に打ち込んで固定する。図示の例では、空中配置された側から見て最初に第１及び第２の各設置面Ｆ1 ，Ｆ2 に設置された各剛性板部１と両端の各剛性板部１との４つの剛性板部１が、それぞれ各設置面Ｆ1 ，Ｆ2 に釘Ｎを介して固定されている。
【００２０】
次に、図２及び図３に示されるように、段差部Ａ1 にほぼ連続曲線状となって配置されて、第１及び第２の各設置面Ｆ1 ，Ｆ2 に固定された支持具Ｓによって、段差部Ａ1 に配置される鞘管Ｐを支持すると共に、適宜箇所において、線材Ｂを使用して、鞘管Ｐを支持具Ｓに固定する。即ち、支持具Ｓの連結板部２に形成された凹部３に掛止された線材Ｂを鞘管Ｐに巻回して、前記線材Ｂの両端を結ぶと、複数本の線材Ｂを介して鞘管Ｐが長手方向に沿った複数箇所で支持具Ｓに固定されて、支持具Ｓから鞘管Ｐがずれ落ちなくなる。
【００２１】
このように、段差部Ａ1 にほぼ連続曲線状となって配置された支持具Ｓによって段差部Ａ1 に配管される鞘管Ｐを支持しているので、段差部Ａ1 における鞘管Ｐは、大きく屈曲されることなく、支持具Ｓの配置形状に倣ってほぼ連続曲線状に配管される。このため、後工程において鞘管Ｐ内に線・管類を挿通する際において、段差部Ａ1 においても線・管類は、鞘管Ｐの内周面に引っ掛かることなく、スムーズに挿通できる。
【００２２】
また、上記実施例の支持具Ｓを構成する連結板部２の長手方向に沿った長さ（Ｌ2 ）は、必要最小長さにしてあるので、例えば、作業中において作業者が傾斜姿勢で空中配置された部分を踏み付ける等して、空中配置される部分に大きな荷重が作用しても、変形されにくくなる。即ち、連結板部２の長手方向に沿った長さ（Ｌ2 ）は、必要最小長さにしてあるために、相前後する剛性板部１の間で屈曲可能な条件を満足した上で、曲げ力に対して強い構造となる。
【００２３】
図６（イ），（ロ）は、同一の支持具Ｓを高さＨ1 ，Ｈ2 の異なる段差部Ａ1 ，Ａ2 にほぼ同一傾斜角度（θ）で設置した状態の模式的側面図であって、支持具Ｓを構成する剛性板部１を破線状にして図示してある。段差部Ａ2 の高さＨ2 は、同Ａ1 の高さＨ1 よりも高くて、段差部Ａ1 と同一に配置した場合（段差部から起算して段下に当接する距離が同一である場合）には、傾斜角度が大きくなって、後工程の線・管類の挿通作業に支障をきたす恐れがある。このため、段差の大きな段差部Ａ2 においては、図６（ロ）に示されるように、空中配置される剛性板部１の数を増して、相前後する剛性板部１の屈曲位置をずらすことにより、段差の小さな段差部Ａ1 とほぼ同一の傾斜角度（θ）で支持具Ｓを配置できる。このように、同一の支持具Ｓによって、高さの異なる段差部に対応して、鞘管Ｐをほぼ連続曲線状にして支持できる。
【００２４】
また、図７は、設置面Ｆ3 に数本の既設管１２が配管されていて、前記既設管１２を跨いだ状態で鞘管Ｐを配管する際に、鞘管Ｐの空中配置部を支持具Ｓで支持する使用例の側面図である。この使用例においても、支持具Ｓの空中配置される部分の両端部が設置面Ｆ3 に対して接線状態で設置されるように、相前後する剛性板部１を僅かに屈曲させて、全体として連続曲線状にしてある。
【００２５】
また、上記実施例では、支持具Ｓを構成する各剛性板部１に、それぞれ第１及び第２の各釘挿通孔５，６が形成されているため、支持具Ｓの空中配置される部分の長さとは無関係に、支持具Ｓの空中配置される部分に最も近い剛性板部１を設置面に固定できて、設置面に対する支持具の固定が確実となる。しかし、各剛性板部１には、例えば一個おきに第１及び第２の各釘挿通孔５，６が設けられた構成にしてもよいし、連結板部２の長手方向に沿った長さＬ2 を釘挿通孔を形成できる程度の寸法にして、連結板部２に釘挿通孔（支持具Ｓを設置面に固定するための固定部）を設けることも可能である。
【００２６】
また、支持具を設置面に固定する固定部の数に関しては、支持具の長手方向に沿って間隔をおいて複数個設ける必要がある。また、固定部の配置に関しては、支持具の長手方向の中央部は空中配置されて、設置面に設置されることは殆どないので、支持具の長手方向の中央部には、固定部を設けないか、或いは設ける場合にはその数を少なくして、設置面に必ず設置される部位である支持具の長手方向の中央部を除く部分に固定部を集中させて設けることが望ましい。
【００２７】
なお、支持具Ｓに対して鞘管Ｐを固定する線材Ｂを該支持具Ｓに対して掛止させる部分としては、前記凹部３に限られず、剛性板部１に開けられた掛止孔であってもよく、この掛止孔として第１釘挿通孔５を利用することも可能である。
【図面の簡単な説明】
【００２８】
【図１】本発明に係る配線・配管材の支持具Ｓを段差部Ａ1 に設置した状態の斜視図である。
【図２】段差部Ａ1 に設置した支持具Ｓにより鞘管Ｐを傾斜して支持した状態の斜視図である。
【図３】同じく側面図である。
【図４】支持具Ｓの部分平面図である。
【図５】同じく部分側面図である。
【図６】（イ），（ロ）は、同一の支持具Ｓを高さＨ1 ，Ｈ2 の異なる段差部Ａ1 ，Ａ2 にほぼ同一傾斜角度（θ）で設置した状態の模式的側面図である。
【図７】設置面Ｆ3 に配管された数本の既設管１２を跨いだ状態で鞘管Ｐを配管する際に、鞘管Ｐの空中配置部を支持具Ｓで支持する使用例の側面図である。
【符号の説明】
【００２９】
Ａ1 ，Ａ2 ：段差部
Ｂ：線材
Ｆ1 〜Ｆ3 ：設置面
Ｈ1 ，Ｈ2 ：段差部の高さ
Ｐ：鞘管（配線・配管材）
Ｓ：支持具
１：剛性板部
２：連結板部
３：凹部（線材掛止部）
５：第１釘挿通孔（固定部）
６：第２釘挿通孔（固定部）
【図１】
0004619678.tif 000002
【図２】
0004619678.tif 000003
【図３】
0004619678.tif 000004
【図４】
0004619678.tif 000005
【図５】
0004619678.tif 000006
【図６】
0004619678.tif 000007
【図７】
0004619678.tif 000008